(57)【要約】      （修正有）【課題】構造がシンプルで全体体積を縮小でき、携帯と收納に有利なストレージバスケット付きの折り畳み式カート構造を提供する。【解決手段】ストレージバスケット付きの折り畳み式カート構造は、第一連接部材１２とサポート棒１６の作用により、ストレージバスケット２のサポート荷重を高めることができる。且つストレージバスケット２は、垂直方向に上枠フレーム２１から下枠フレーム２２へと折り畳めるため、操作が便利であるだけでなく、上枠フレーム２１上に物品を置くことができる。ストレージバスケット２は折り畳み可能で、且つフレーム体１１は引き出しと押し戻しが可能な伸縮プルバー１１１を有するため、構造がシンプルなばかりか、全体体積を縮小でき、携帯と收納に有利である。【選択図】図１
0003198206.tif 000002
【実用新案登録請求の範囲】
【請求項１】
ストレージバスケット付きの折り畳み式カート構造であって、カート、折り畳み可能ストレージバスケットを有し、
前記カートは、フレーム体、２個の第一連接部材、２個の第二連接部材、２個の第三連接部材、２個のキャスター、及びサポート棒を有し、
前記２個の第一連接部材は、前記フレーム体両側の底端にそれぞれ設置され、前記フレーム体の前側へと延伸し、
前記サポート棒の両端は、前記２個の第一連接部材の前記フレーム体から離れた一端とそれぞれ連接され、前記２個の第二連接部材は、前記フレーム体両側にそれぞれ設置され、且つ相互に間隔を開けて対応する前記各第一連接部材上方に位置し、前記フレーム体の前側へと延伸し、
前記２個の第三連接部材は、前記フレーム体両側にそれぞれ設置され、且つ相互に間隔を開けて対応する前記各第二連接部材上方に位置し、前記フレーム体の後側へと延伸し、
前記２個のキャスターは、対応する前記各第三連接部材の前記フレーム体から離れた一端と回転可能なようにそれぞれ連接され、且つ前記各キャスターはちょうど地面に接触するサイズで、
前記折り畳み可能ストレージバスケットの底端は、前記サポート棒に寄りかかり、前記折り畳み可能ストレージバスケットの後側は、前記フレーム体に寄りかかり、且つ前記各第二連接部材の前記フレーム体から離れた一端は、対応する前記折り畳み可能ストレージバスケットの左側及び右側と回転可能なように連接固定される
ことを特徴とするストレージバスケット付きの折り畳み式カート構造。
【請求項２】
前記折り畳み可能ストレージバスケットは、上枠フレーム、下枠フレーム、左側板、右側板、底板、前折り畳み板、及び後折り畳み板を有し、
前記下枠フレーム底端は、前記サポート棒上に寄りかかり、
前記前折り畳み板の底端と前記下枠フレームの前側とは、回転可能なように連接され、
前記後折り畳み板の底端と前記下枠フレームの後側とは、回転可能なように連接され、
前記上枠フレームの前側及び後側は、前記前折り畳み板の頂端及び前記後折り畳み板の頂端と、それぞれ回転可能なように連接され、
前記右側板の頂端及び前記左側板の頂端は、前記上枠フレームの右側及び左側と、回転可能なようにそれぞれ連接される
ことを特徴とする請求項１に記載のストレージバスケット付きの折り畳み式カート構造。
【請求項３】
前記右側板及び前記左側板は、内側へと回転し、前記上枠フレーム底部に寄りかかり、
前記前折り畳み板及び前記後折り畳み板は、前記サポート棒と平行な中心線により内側へと折り畳まれ、
こうして、前記上枠フレームは、前記下枠フレームへと折り畳まれ、第一折り畳み状態となる
ことを特徴とする請求項２に記載のストレージバスケット付きの折り畳み式カート構造。
【請求項４】
前記第一折り畳み状態にある前記ストレージバスケットを、前記各第二連接部材の前記フレーム体から離れた一端を軸心とし前記フレーム体へと回転させ、こうして前記上枠フレームは前記フレーム体に寄りかかり、第二折り畳み状態とすることを特徴とする請求項３に記載のストレージバスケット付きの折り畳み式カート構造。
【請求項５】
前記フレーム体上部には、伸縮プルバーを有することを特徴とする請求項１乃至４の何れか一項に記載のストレージバスケット付きの折り畳み式カート構造。
【請求項６】
前記２個のキャスターはさらに、前記各第一連接部材を通して、相対方向に回転して収納され、前記フレーム体の後側に寄りかかることを特徴とする請求項４に記載のストレージバスケット付きの折り畳み式カート構造。
【考案の詳細な説明】
【技術分野】
【０００１】
本考案はカート構造に関し、特にストレージバスケット付きの折り畳み式カート構造に関する。
【背景技術】
【０００２】
特許文献１に示すとおり、ストレージバスケットを有する折り畳み可能カートでは、一般に伸縮プルバーは、ストレージバスケットの後側から、上方へと引き伸ばされ、或いは下方へと縮んで戻る。
【０００３】
しかし、ストレージバスケットは、前側から後側へと折り畳まれ、これにより折り畳み後は使用できなくなり、運用範囲が小さくなってしまう。また、キャスターはストレージバスケット後側底部両端にダイレクトに設置し、且つ物品をストレージバスケット内にそのまま入れ、ストレージバスケットの底板によってのみサポートされるが、物品が重ければ、底板の破裂による損壊を招きやすい。
【先行技術文献】
【特許文献】
【０００４】
【特許文献１】米国特許第ＵＳ７０６６４７６号明細書
【考案の概要】
【考案が解決しようとする課題】
【０００５】
前記先行技術の説明で分かるとおり、従来のストレージバスケットは、前側から後側へと折り畳まれ、これにより折り畳み後は使用できなくなり、運用範囲が小さくなってしまい、またキャスターはストレージバスケット後側底部両端にダイレクトに設置し、且つ物品をストレージバスケット内にそのまま入れ、ストレージバスケットの底板によってのみサポートされるが、物品が重ければ、底板の破裂による損壊を招きやすいという欠点がある。
【課題を解決するための手段】
【０００６】
本考案は第一連接部材とサポート棒の作用により、ストレージバスケットのサポート荷重を高めることができ、且つストレージバスケットは垂直方向に上枠フレームから下枠フレームへと折り畳めるため、操作が便利であるだけでなく、上枠フレーム上に物品を置くことができ、さらにストレージバスケットは折り畳み可能で、且つフレーム体は引き出しと押し戻しが可能な伸縮プルバーを有するため、構造がシンプルなばかりか、全体体積を縮小でき、携帯と收納に有利なストレージバスケット付きの折り畳み式カート構造に関する。
【０００７】
本考案によるストレージバスケット付きの折り畳み式カート構造は、カート、及び折り畳み可能ストレージバスケットを有する。該カートは、フレーム体、２個の第一連接部材、２個の第二連接部材、２個の第三連接部材、２個のキャスター、及びサポート棒を有する。該２個の第一連接部材は、該フレーム体両側の底端にそれぞれ設置され、該フレーム体の前側へと延伸する。該サポート棒の両端は、該２個の第一連接部材の該フレーム体から離れた一端とそれぞれ連接され、該２個の第二連接部材は、該フレーム体両側にそれぞれ設置され、且つ相互に間隔を開けて対応する該各第一連接部材上方に位置し、該フレーム体の前側へと延伸し、該２個の第三連接部材は、該フレーム体両側にそれぞれ設置され、且つ相互に間隔を開けて対応する該各第二連接部材上方に位置し、該フレーム体の後側へと延伸する。該２個のキャスターは、対応する該各第三連接部材の該フレーム体から離れた一端と回転可能なようにそれぞれ連接され、且つ該各キャスターはちょうど地面に接触するサイズである。該折り畳み可能ストレージバスケットの底端は、該サポート棒に寄りかかり、該折り畳み可能ストレージバスケットの後側は、該フレーム体に寄りかかり、且つ該各第二連接部材の該フレーム体から離れた一端は、対応する該折り畳み可能ストレージバスケットの左側及び右側と回転可能なように連接固定される。
【０００８】
一実施形態においては、該折り畳み可能ストレージバスケットは、上枠フレーム、下枠フレーム、左側板、右側板、底板、前折り畳み板、及び後折り畳み板を有する。該下枠フレーム底端は、該サポート棒上に寄りかかり、該前折り畳み板の底端と該下枠フレームの前側とは回転可能なように連接され、該後折り畳み板の底端と該下枠フレームの後側とは回転可能なように連接される。該上枠フレームの前側及び後側は、該前折り畳み板の頂端及び該後折り畳み板の頂端と、それぞれ回転可能なように連接され、該右側板の頂端及び該左側板の頂端は、該上枠フレームの右側及び左側と、回転可能なようにそれぞれ連接される。
【０００９】
一実施形態においては、該右側板及び該左側板は、内側へと回転し、該上枠フレーム底部に寄りかかる。続いて、該前折り畳み板及び該後折り畳み板は、該サポート棒と平行な中心線により、内側へと折り畳まれ、第一折り畳み状態となる。
【００１０】
一実施形態においては、該第一折り畳み状態にある該ストレージバスケットを、該各第二連接部材の該フレーム体から離れた一端を軸心とし該フレーム体へと回転させ、こうして該上枠フレームは該フレーム体に寄りかかり、第二折り畳み状態となる。該フレーム体上部には、伸縮プルバーを有する。
【００１１】
一実施形態においては、該２個のキャスターはさらに、該各第一連接部材を通して、相対方向に回転して収納され、該フレーム体の後側に寄りかかる。
【００１２】
本考案の実施形態を応用する特徴の一つは、第一連接部材とサポート棒の作用により、ストレージバスケットのサポート荷重を高めることができ、且つストレージバスケットは垂直方向に上枠フレームから下枠フレームへと折り畳めるため、操作が便利であるだけでなく、上枠フレーム上に物品を置くことができ、さらにストレージバスケットは折り畳み可能で、且つフレーム体は引き出しと押し戻しが可能な伸縮プルバーを有するため、構造がシンプルなばかりか、全体体積を縮小でき、携帯と收納に有利である。
【図面の簡単な説明】
【００１３】
【図１】本考案の一実施形態によるストレージバスケット付きの折り畳み式カート構造の分解模式図である。
【図２】本考案の一実施形態によるストレージバスケット付きの折り畳み式カート構造の外観模式図である。
【図３】本考案の一実施形態によるストレージバスケット付きの折り畳み式カート構造中のストレージバスケットの分解模式図である。
【図４】本考案の一実施形態によるストレージバスケット付きの折り畳み式カート構造中のストレージバスケットを折り畳み中の外観模式図である。
【図５】本考案の一実施形態によるストレージバスケット付きの折り畳み式カート構造の第一折り畳み状態の外観模式図である。
【図６】本考案の一実施形態によるストレージバスケット付きの折り畳み式カート構造の第二折り畳み状態の外観模式図である。
【図７】本考案の一実施形態によるストレージバスケット付きの折り畳み式カート構造が第二折り畳み状態にあり、且つ伸縮プルバーがフレーム体に戻る様子を示す外観模式図である。
【図８】図７の別の角度からの模式図である。
【考案を実施するための形態】
【００１４】
（一実施形態）
【００１５】
本考案の一実施形態によるストレージバスケット付きの折り畳み式カート構造１００は、カート１及びストレージバスケット２を有する。
【００１６】
カート１は、フレーム体１１、２個の第一連接部材１２、２個の第二連接部材１３、２個の第三連接部材１４、２個のキャスター１５、及びサポート棒１６を有する。
【００１７】
２個の第一連接部材１２は、フレーム体１１両側の底端にそれぞれ設置され、フレーム体１１の前側へ向かい延伸する。サポート棒１６の両端は、２個の第一連接部材１２のフレーム体１１から遠い一端とそれぞれ連接する。２個の第二連接部材１３は、フレーム体１１両側にそれぞれ設置され、且つ相互に間隔を開けて、対応する各第一連接部材１２上方に位置し、フレーム体１１の前側へ向かい延伸する。２個の第三連接部材１４は、フレーム体１１両側にそれぞれ設置され、且つ相互に間隔を開けて、対応する各第二連接部材１３上方に位置し、フレーム体１１の後側へ向かい延伸する。２個のキャスター１５は、対応する各第三連接部材１４のフレーム体１１から遠い一端と、回転可能なようにそれぞれ連接され、且つ各キャスター１５はちょうど地面に接触するサイズである。
【００１８】
折り畳み可能ストレージバスケット２の底端は、サポート棒１６に寄りかかることができる。サポート棒１６が寄りかかる折り畳み可能ストレージバスケット２の位置は、フレーム体１１に近い一端とサポート棒１６と平行な中心線の間である。
【００１９】
折り畳み可能ストレージバスケット２の後側は、フレーム体１１に寄りかかり、且つ各第二連接部材１３のフレーム体１１から遠い一端は、対応する折り畳み可能ストレージバスケット２の左側及び右側と回転可能なように連接固定される。
【００２０】
折り畳み可能ストレージバスケット２は、上枠フレーム２１、下枠フレーム２２、左側板２３、右側板２４、底板２５、前折り畳み板２６、及び後折り畳み板２７を有する。下枠フレーム２２底端は、サポート棒１６上に寄りかかる。前折り畳み板２６の底端と下枠フレーム２２の前側とは、回転可能なように連接される。後折り畳み板２７の底端と下枠フレーム２２の後側とは、回転可能なように連接される。上枠フレーム２１の前側及び後側は、前折り畳み板２６の頂端及び後折り畳み板２７の頂端と、それぞれ回転可能なように連接される。右側板２４の頂端及び左側板２３の頂端は、上枠フレーム２１の右側及び左側と、それぞれ回転可能なように連接される。
【００２１】
第一折り畳み状態にある時（図５参照）、右側板２４及び左側板２３は内側へと回転し、上枠フレーム２１底部に寄りかかる。続いて、前折り畳み板２６及び後折り畳み板２７はサポート棒１６と平行な中心線により、内側へと折り畳まれる。
【００２２】
第二折り畳み状態（図６参照）にする時には、上述の第一折り畳み状態にあるストレージバスケット２を、各第二連接部材１３のフレーム体１１から遠い一端を軸心とし、フレーム体１１へと回転させる。こうして、上枠フレーム２１はフレーム体１１に寄りかかる。
【００２３】
本考案のストレージバスケット付きの折り畳み式カート構造１００において、フレーム体１１上部には、伸縮プルバー１１１をさらに有する。伸縮プルバー１１１は、縮んでフレーム体１１内に戻ることができ（図７参照）、伸縮プルバー１１１をフレーム体１１１から引き出すことができる（図６参照）。
【００２４】
さらに、２個のキャスター１５は、第一連接部材１２を通して、相対方向に回転して収納され、フレーム体１１後側に寄りかかり（図７及び図８参照）、全体の收納体積をさらに縮小する効果を達成する。
【００２５】
上述の構造により、本考案のストレージバスケット付きの折り畳み式カート構造１００は、第一連接部材１２とサポート棒１６の作用により、ストレージバスケット２のサポート荷重を高めることができる。且つ、ストレージバスケット２は、垂直方向に上枠フレーム２１から下枠フレーム２２へと折り畳めるため、操作が便利であるばかりか、上枠フレーム２１上に物品を置くこともできる（図７参照）。さらに、ストレージバスケット２は折り畳み可能で、且つフレーム体１は引き出しと押し戻しが可能な伸縮プルバー１１１を有するため、構造がシンプルなばかりか、全体体積を縮小でき、携帯と收納に有利である。
【００２６】
前述した本考案の実施形態は本考案を限定するものではなく、よって、本考案により保護される範囲は後述される実用新案登録請求の範囲を基準とする。
【符号の説明】
【００２７】
１００  ストレージバスケット付きの折り畳み式カート構造
１  カート
１１  フレーム体
１１１  伸縮プルバー
１２  第一連接部材
１３  第二連接部材
１４  第三連接部材
１５  キャスター
１６  サポート棒
２  ストレージバスケット
２１  上枠フレーム
２２  下枠フレーム
２３  左側板
２４  右側板
２５  底板
２６  前折り畳み板
２７  後折り畳み板
【図１】
0003198206.tif 000003
【図２】
0003198206.tif 000004
【図３】
0003198206.tif 000005
【図４】
0003198206.tif 000006
【図５】
0003198206.tif 000007
【図６】
0003198206.tif 000008
【図７】
0003198206.tif 000009
【図８】
0003198206.tif 000010